(57)【要約】【課題】サポートアセンブリを提供する。【解決手段】左側支持フレームと、右側支持フレームと、ブラケットと、を備え、左側支持フレームと右側支持フレームはすべてブラケットにスライド可能に接続されており、ブラケットの表面には複数の収容溝が設けられており、左側支持フレームは第一歯部を備え、右側支持フレームは第二歯部を備え、第一歯部及び第二歯部はすべて複数の歯を備え、サポートアセンブリが収縮状態にあるとき、第一歯部の歯及び第二歯部の歯は収容溝に収容されて、収縮状態にあるスクリーンアセンブリを支持する。サポートアセンブリが伸長状態にあるとき、第一歯部の歯及び第二歯部の歯は収容溝から伸び出して、展開状態にあるスクリーンアセンブリを支持する。本願は、文字盤及びスマートブレスレットをさらに提供する。本願のサポートアセンブリは伸縮することができ且つスクリーンアセンブリを支持し、即ち文字盤の寸法小型化要求を満たすことができるだけではなく、スクリーンの寸法を拡大することもできる。【選択図】図３５
2019537256.tif 000002
【特許請求の範囲】
【請求項１】
スクリーンアセンブリを支持するために用いられるサポートアセンブリであって、
左側支持フレームと、右側支持フレームと、ブラケットと、を備え、
前記左側支持フレームと前記右側支持フレームはすべて前記ブラケットにスライド可能に接続されており、前記ブラケットの表面には複数の収容溝が設けられており、前記左側支持フレームは第一歯部を備え、前記右側支持フレームは第二歯部を備え、前記第一歯部及び前記第二歯部はすべて複数の歯を備え、
前記サポートアセンブリが収縮状態にあるとき、前記第一歯部の歯及び前記第二歯部の歯は前記収容溝に収容されて、収縮状態にある前記スクリーンアセンブリを支持し、
前記サポートアセンブリが伸長状態にあるとき、前記第一歯部の歯及び前記第二歯部の歯は前記収容溝から伸び出して、展開状態にある前記スクリーンアセンブリを支持することを特徴とするサポートアセンブリ。
【請求項２】
前記ブラケットの表面には複数の突出リブが設置されており、隣接する２つの前記突出リブの間に前記収容溝が形成され、前記突出リブは前記第一歯部及び前記第二歯部の歯とともに前記スクリーンアセンブリを支持することを特徴とする請求項１に記載のサポートアセンブリ。
【請求項３】
前記サポートアセンブリが伸長状態にあるとき、各々の前記突出リブは隣接する前記第一歯部の歯及び隣接する前記第二歯部の歯とともに連続的な支持面を形成することを特徴とする請求項２に記載のサポートアセンブリ。
【請求項４】
隣接する前記支持面は前記収容溝によって分離されていることを特徴とする請求項３に記載のサポートアセンブリ。
【請求項５】
隣接する前記支持面は前記ブラケットの辺縁に近い位置で連続していることを特徴とする請求項３に記載のサポートアセンブリ。
【請求項６】
各々の前記収容溝は、前記第一歯部の１つの歯と前記第二歯部の１つの歯を収容することを特徴とする請求項２に記載のサポートアセンブリ。
【請求項７】
前記第一歯部の隣接する２つの歯の間の隙間の幅は、前記第一歯部の各歯の幅の２倍であり、
前記第二歯部の隣接する２つの歯の間の隙間の幅は、前記第二歯部の各歯の幅の２倍であり、
前記突出リブの幅、前記第一歯部の歯の幅及び前記第二歯部の歯の幅は等しいことを特徴とする請求項６に記載のサポートアセンブリ。
【請求項８】
前記収容溝の幅は、前記第一歯部の１つの歯の幅又は前記第二歯部の１つの歯の幅以上であり、且つ前記第一歯部の１つの歯の幅と前記第二歯部の１つの歯の幅の和より小さいことを特徴とする請求項２に記載のサポートアセンブリ。
【請求項９】
前記収容溝の数量は前記第一歯部の歯の数量と前記第二歯部の歯の数量の合計に等しく、隣接する２つの前記収容溝はそれぞれ前記第一歯部の歯と前記第二歯部の歯を収容することを特徴とする請求項８に記載のサポートアセンブリ。
【請求項１０】
前記ブラケットの表面に垂直する方向の前記収容溝の開口部の幅は、前記収容溝の内部空間の幅より小さく、前記収容溝の内壁に阻まれて、前記第一歯部の歯及び前記第二歯部の歯は、前記ブラケットの表面に垂直する方向で前記収容溝内に位置制限されることを特徴とする請求項１〜９のいずれか一項に記載のサポートアセンブリ。
【請求項１１】
前記左側支持フレームは第一ベース及び第一底板をさらに備え、前記第一歯部と前記第一底板はそれぞれ前記第一ベースの頂部と底部に接続されていることを特徴とする請求項１〜９のいずれか一項に記載のサポートアセンブリ。
【請求項１２】
前記第一歯部の表面から前記第一底板の表面まで、前記第一ベースによって滑らかに過度延在されることを特徴とする請求項１１に記載のサポートアセンブリ。
【請求項１３】
前記左側支持フレームはトレイをさらに備え、前記トレイは前記第一歯部と前記第一底板との間に位置し、前記トレイは回路基板を支持するために用いられることを特徴とする請求項１１に記載のサポートアセンブリ。
【請求項１４】
前記トレイにはフックが形成されており、前記フックは前記回路基板を前記トレイの上に吊り下げて位置決めるために用いられることを特徴とする請求項１３に記載のサポートアセンブリ。
【請求項１５】
前記左側支持フレームに固定された左側フレームと、前記右側支持フレームに固定された右側フレームと、前記左側フレーム及び前記右側フレームに接続された伸縮アセンブリと、をさらに備え、前記伸縮アセンブリの伸縮によって、前記サポートアセンブリが伸長状態と収縮状態との間で切り換えるように制御することを特徴とする請求項１〜９のいずれか一項に記載のサポートアセンブリ。
【請求項１６】
前記左側支持フレームと前記左側フレームとの間には、前記スクリーンアセンブリの一端を通過させる間隙が形成され、前記右側支持フレームと前記右側フレームとの間には、前記スクリーンアセンブリの他端を通過させる間隙が形成されることを特徴とする請求項１５に記載のサポートアセンブリ。
【請求項１７】
前記ブラケットは、フロントバッフルと、リアバッフルと、プレートと、支持梁と、を備え、前記フロントバッフルと前記リアバッフルは離間して対向設置されており、且つ前記フロントバッフル及び前記リアバッフルにおける互いに対向する表面には全て位置制限通路が設置されており、前記位置制限通路は前記左側フレーム及び前記右側フレームと協同するために用いられ、前記プレート及び前記支持梁は、前記フロントバッフル及び前記リアバッフルの両側に対向して設置され、前記支持梁は前記伸縮アセンブリを接続するために用いられ、前記プレートには前記収容溝が設けられており、前記プレートは前記スクリーンアセンブリを支持するために用いられることを特徴とする請求項１５に記載のサポートアセンブリ。
【請求項１８】
前記伸縮アセンブリは、ロッドアセンブリと、弾性部材と、を備え、前記ロッドアセンブリは少なくとも２つの連結ロッドを備え、前記連結ロッドの間はヒンジで連結され、前記弾性部材は少なくとも２つの前記連結ロッドの間に弾性的に接続され、前記弾性部材が伸展状態にあるとき、前記ロッドアセンブリは伸長状態にあり、前記ロッドアセンブリが収縮状態にあるとき、前記弾性部材は弾性圧縮状態にあり、前記ロッドアセンブリは前記支持梁に接続されており、前記伸縮アセンブリは前記支持梁を中心として伸縮することを特徴とする請求項１７に記載のサポートアセンブリ。
【請求項１９】
前記ロッドアセンブリは、第一連結ロッドと、第二連結ロッドと、第三連結ロッドと、第四連結ロッドと、を備え、前記第一連結ロッドと前記第三連結ロッドはヒンジで連結されてＸ型構造を形成し、前記第二連結ロッドと前記第四連結ロッドはヒンジで連結されてＸ型構造を形成し、
前記第一連結ロッドの一端と前記第二連結ロッドの一端はヒンジで連結され、前記第一連結ロッドの他端は前記右側フレームにスライド可能に接続され、前記第二連結ロッドの他端は前記左側フレームにスライド可能に接続され、
前記第三連結ロッドの一端と前記第四連結ロッドの一端はヒンジで連結され、前記第三連結ロッドの他端は前記右側フレームに固定され、前記第四連結ロッドの他端は前記左側フレームに固定され、前記弾性部材は前記第一連結ロッドと前記第二連結ロッドとの間に弾性的に接続され、
前記第一連結ロッドと前記第二連結ロッドとの間のヒンジ位置の回転軸は前記支持梁に固定的に接続され、前記第三連結ロッドと前記第四連結ロッドとの間のヒンジ位置の回転軸は前記支持梁にスライド可能に接続されることを特徴とする請求項１８に記載のサポートアセンブリ。
【請求項２０】
スクリーンアセンブリと、リールアセンブリと、請求項１〜１９のいずれか一項に記載のサポートアセンブリと、を備え、前記リールアセンブリは前記スクリーンアセンブリを巻き取るために用いられ、前記サポートアセンブリは前記スクリーンアセンブリを支持するために用いられることを特徴とする文字盤。
【請求項２１】
請求項２０に記載の文字盤と、リストベルトと、バッテリモジュールと、を備え、前記リストベルトの一端は前記文字盤に接続されることを特徴とするスマートブレスレット。
【発明の詳細な説明】
【技術分野】
【０００１】
本願は、ウェアラブルスマート製品の技術分野に関するものであり、特にスマートブレスレットの文字盤におけるフレキシブルスクリーンを支持するために用いられるサポートアセンブリに関するものである。
【背景技術】
【０００２】
ウェアラブルスマート製品の発展及び応用がますます広くなることに伴って、ユーザの要求も多くなり、例えば、便利に携帯するために寸法の小型化要求、便利に視聴するために大画面に対する要求などである。既存のスマートブレスレットにおいて、文字盤の形状は固定されており、一般的なサイズは通常２インチ未満であるので、大画面視聴要求を満たすことができない。
【０００３】
寸法を小型化するとともに、視聴画面を拡大する要求を満たすことができる文字盤をどのように設計するかは、業界で絶えずに研究される課題である。
【発明の概要】
【０００４】
本願の実施形態が解決しようとする技術的問題は、スマートブレスレットの文字盤に応用されるサポートアセンブリを提供することである。サポートアセンブリは、スクリーンアセンブリを支持するために用いられる。サポートアセンブリと伸縮できるフレームアセンブリは、一緒にスクリーンアセンブリを支持する。スマートブレスレットの文字盤の寸法小型化要求を満たすことができるだけではなく、スクリーンの寸法を拡大することもできる。
【０００５】
一態様では、本願は、スクリーンアセンブリを支持するために用いられるサポートアセンブリを提供する。サポートアセンブリは、左側支持フレームと、右側支持フレームと、ブラケットと、を備える。左側支持フレームと右側支持フレームはすべてブラケットにスライド可能に接続されている。ブラケットの表面には複数の収容溝が設けられている。左側支持フレームは第一歯部を備え、右側支持フレームは第二歯部を備え、第一歯部及び第二歯部はすべて複数の歯を備える。サポートアセンブリが収縮状態にあるとき、第一歯部の歯及び第二歯部の歯は収容溝に収容されて、収縮状態にあるスクリーンアセンブリを支持する。サポートアセンブリが伸長状態にあるとき、第一歯部の歯及び第二歯部の歯は収容溝から伸び出して、展開状態にあるスクリーンアセンブリを支持する。
【０００６】
他の態様では、本願は、スクリーンアセンブリと、リールアセンブリと、サポートアセンブリと、を備える文字盤をさらに提供する。リールアセンブリは、スクリーンアセンブリを巻き取るために用いられる。サポートアセンブリは、スクリーンアセンブリを支持するために用いられる。
【０００７】
他の態様では、本願は、文字盤、リストベルト及びバッテリモジュールを備えるスマートブレスレットをさらに提供する。リストベルトの一端は文字盤に接続される。
【０００８】
本願のサポートアセンブリは、スマートブレスレットの文字盤に応用される。左側支持フレームと右側支持フレームはすべてブラケットにスライド可能に接続されていることによって、左側支持フレーム及び右側支持フレームはブラケットに対して伸縮することができ、従って異なる寸法のスクリーンアセンブリを支持することを実現する。文字盤の寸法小型化要求を満たすことができるだけではなく、スクリーンの寸法を拡大することもできる。
【図面の簡単な説明】
【０００９】
以下、本願の実施形態又は従来の技術に係る技術的方案をより明確に説明するために、本願の実施形態の説明に使用される図面について簡単に説明する。明らかに、以下説明される図面は、本願の一部の実施形態だけのものであり、当業者であれば、これらの図面から創造的な努力なしに他の図面を得ることができる。
【図１】図１は、本願の実施形態に係わるスマートブレスレットの立体図である。
【図２】図２は、本願の実施形態に係わるスマートブレスレットの文字盤の分解図である。
【図３】図３は、本願の実施形態に係わるスマートブレスレットの文字盤におけるフレームアセンブリの分解図である。
【図４】図４は、図３に示されたフレームアセンブリの左側フレーム、右側フレーム及び伸縮アセンブリを分解した図面である。
【図５】図５は、本願の実施形態に係わるフレームアセンブリの左側フレームを示す図である。
【図６】図６は、本願の実施形態に係わるフレームアセンブリの右側フレームを示す図である。
【図７】図７は、本願の実施形態に係わるフレームアセンブリの伸縮アセンブリを示す図である。
【図８】図８は、図７に示されたロッドアセンブリの１つの連結ロッドを示す図である。
【図９】図９は、本願の一実施形態に係わる伸縮アセンブリを左側フレーム及び右側フレームに取り付けた組立図であり、その中において、伸縮アセンブリは収縮状態にある。
【図１０】図１０は、図９を別の方向から見た図面である。
【図１１】図１１は、本願の一実施形態に係わる伸縮アセンブリを左側フレーム及び右側フレームに取り付けた組立図であり、その中において、伸縮アセンブリは伸長状態にある。
【図１２】図１２は、図１１を別の方向から見た図面である。
【図１３】図１３は、本願の一実施形態に係わるフレームアセンブリの接続シートを示す図である。
【図１４】図１４は、図１３に示された接続シートが伸縮アセンブリに取り付けられ、且つフレームアセンブリの内側からフレームアセンブリの外側に伸び出したことを示す図である。
【図１５】図１５は、本願の一実施形態に係わるフレームアセンブリのブラケットを示す図である。
【図１６】図１６は、図１５に示されたブラケットを別の方向から見た図面である。
【図１７】図１７は、図１５に示されたブラケットと左側フレーム及び右側フレームの組立構造の概略図であるである。
【図１８】図１８は、図１７に示されたブラケットと左側フレーム及び右側フレームの組立構造を別の方向から見た図面である。
【図１９】図１９は、本願の一実施形態に係わるフレームアセンブリの操作ロッドを示す図である。
【図２０】図２０は、図１９に示された操作ロッドが図１４に示された接続シートに係合した状態を示す図であり、フレームアセンブリは収縮状態にある。
【図２１】図２１は、図２０に示されたフレーム構造が展開状態にある場合、接続シートと操作ロッドの位置関係を示す図である。
【図２２】図２２は、本願の一実施形態に係わるフレームアセンブリの左側フレーム、右側フレーム、左側底板、右側底板及び支持板の分解図である。
【図２３】図２３は、図２２に示されたフレームアセンブリの組立図であり、フレームアセンブリは収縮状態にある。
【図２４】図２４は、図２３に示されたフレームアセンブリの展開状態を示す図である。
【図２５】図２５は、本願の一実施形態に係わるリールアセンブリ、スクリーンアセンブリ及びフレームアセンブリの右側フレームの立体分解図である。
【図２６】図２６は、本願の一実施形態に係わるリールアセンブリの立体分解図である。
【図２７】図２７は、本願の一実施形態に係わるリールアセンブリの位置制限部材の立体図である。
【図２８】図２８は、本願の一実施形態に係わるリールアセンブリにおける、位置制限部材に取り付けるために用いられるネジの立体図である。
【図２９】図２９は、本願の一実施形態に係わるリールアセンブリのコネクタの立体図である。
【図３０】図３０は、本願の一実施形態に係わるリールアセンブリの固定部材の立体図である。
【図３１】図３１は、本願の一実施形態に係わるリールアセンブリを右側フレームに組み立てた後の断面図である。
【図３２】図３２は、本願の一実施形態に係わるサポートアセンブリの左側支持フレームを示す図である。
【図３３】図３３は、本願の一実施形態に係わるサポートアセンブリの右側支持フレームを示す図である。
【図３４】図３４は、本願の一実施形態に係わるサポートアセンブリが収縮状態にあることを示す図面である。
【図３５】図３５は、図３４に示されたサポートアセンブリが展開状態にあることを示す図面である。
【図３６】図３６は、本願の一実施形態に係わるサポートアセンブリの左側支持フレーム、トレイ及び回路基板の分解図である。
【図３７】図３７は、本願の一実施形態に係わる文字盤の断面図である。
【図３８】図３８は、本願の別の実施形態に係わるサポートアセンブリが収縮状態にあることを示す図である。
【図３９】図３９は、図３８に示されたサポートアセンブリの分解図であり、その中において、左側支持フレーム及び右側支持フレームはフレーム本体から分解されている。
【図４０】図４０は、図３８に示されたサポートアセンブリが展開状態にあることを示す図である。
【図４１】図４１は、図３８に示されたサポートアセンブリの局部拡大断面図であり、主に左側支持フレーム及び右側支持フレームの歯の断面形状を示している。
【図４２】図４２は、本願の一実施形態に係わる文字盤内の起動装置の構造を示す図であり、その中において、文字盤は収縮状態にある。
【図４３】図４３は、図４２に示された収縮状態において、起動装置のタブ及びロッドアセンブリと回路基板との電気的接続構造を示す図である。
【図４４】図４４は、本願の一実施形態に係わる文字盤内の起動装置の構造を示す図であり、その中において、文字盤は展開状態にある。
【図４５】図４５は、図４４に示された展開状態において、起動装置のタブ及びロッドアセンブリと回路基板との電気的接続構造を示す図である。
【図４６】図４６は、本願の一実施形態に係わる起動装置の回路構造を示す図である。
【図４７】図４７は、本願の一実施形態に係わる文字盤の局部構造を示す図面であり、主に文字盤から外部に伸び出したＦＰＣの関連特徴を示している。
【図４８】図４８は、図４７に示されたＦＰＣ及びその上の構造、及びＦＰＣが文字盤内の回路基板に接続されたことを示す図である。
【図４９】図４９は、図４８を別の方向から見た図面であり、主にＦＰＣの他の面の構造を示す。
【図５０】図５０は、本願の一実施形態に係わるスマートブレスレットのリストベルトを文字盤から分離した状態を示す図である。
【図５１】図５１は、本願の一実施形態に係わるリストベルトの１つの方向の立体分解図である。
【図５２】図５２は、本願の一実施形態に係わるリストベルトの他の方向の立体分解図である。
【図５３】図５３は、本願の一実施形態に係わるリストベルトの支持シートとバッテリモジュールとの間の構造を示す分解図である
【図５４】図５４は、本願の一実施形態に係わるリストベルトのＦＰＣと支持シート及び底部フレームとを組み合わせた状態を示す図である。
【発明を実施するための形態】
【００１０】
以下に、本願の実施形態の添付の図面を参照しながら、本願の実施形態の技術的手段を明確且つ完全に説明する。明らかに、説明される実施形態は、本願の一部の実施形態だけのものであり、全ての実施形態ではない。本明細書に記載された実施形態に基づいて、当業者が創造的な努力なしに得ることができるすべての別の実施形態は、皆本願の範囲に属する。  
【００１１】
本願の明細書、特許請求の範囲及び添付の図面における「第一」、「第二」、「第三」、「第四」などの用語（存在する場合）は、類似した対象を区別するために用いられ、必ず特定の順序又は前後順位を記述するために用いられるものではない。
【００１２】
図１を参照すると、本願は、文字盤１０及びリストベルト２０を備えるスマートブレスレットに関する。リストベルト２０の内部にバッテリモジュール３０が設置されている。一実施形態において、文字盤１０とバッテリモジュール３０は対向して設置される（両者はそれぞれ手の甲側と手のひら側に位置し、ここに記載された対向して設置されることは、真正面に位置するように設置されることに限定されず、両者はお互いにずれて設置されてもよく、又は部分的に対向してもよい）。バッテリモジュール３０はリストベルト２０に固定され、リストベルト２０の一端は文字盤に接続されている。その結果、スマートブレスレットは大体Ｃ字形又はＵ字形になる。図１に示されたように、リストベルト２０には、さらにスイッチボタン２３４、拡張ボタン２３２、ホームボタン２３１、及びサウンドホール２３５が設けられている。本願は、より多い電子部品（例えば、上述したいろいろなボタンである）をリストベルト２０に設置して、リストベルト２０の多機能性に有利であり、且つ文字盤１０のためにさらに多いスペースを開放する。
【００１３】
図２に示されたように、文字盤１０は、フレームアセンブリ１２と、サポートアセンブリ１４と、スクリーンアセンブリ１６と、リールアセンブリ１８とを備える。フレームアセンブリ１２の内部には収容空間１２１が設けられている。フレームアセンブリ１２は、上端部１２２と、下端部１２３と、を備える。サポートアセンブリ１４は、フレームアセンブリ１２の上端部１２２に取り付けられて、スクリーンアセンブリ１６を支持するために用いられる。リールアセンブリ１８は、フレームアセンブリ１２の収容空間１２１に設置される。リールアセンブリ１８は、フレームアセンブリ１２に回転可能に接続されて、スクリーンアセンブリ１６の一部を巻くために用いられる。本願において、フレームアセンブリ１２の伸縮によって、サポートアセンブリ１４及びスクリーンアセンブリ１６の寸法が変化し、従ってスマートブレスレットの文字盤１０の寸法が拡大され、ディスプレイインターフェースを伸縮させることができる。本願のフレームアセンブリ１２はさらに他の携帯型電子機器（例えば、携帯電話）に応用されることができ、スクリーンアセンブリを支持するために用いられる。
【００１４】
スクリーンアセンブリ１６は、フレキシブルディスプレイスクリーン１６２及びフレキシブルタッチスクリーン１６４を備え、両者は積み重ねられており、且つ全て巻くことができる可撓性材料からなる。
【００１５】
図３及び図４を参照すると、フレームアセンブリ１２は、左側フレーム１２４と、右側フレーム１２６と、伸縮アセンブリ１２５と、を備える。左側フレーム１２４と右側フレーム１２６は対向して設置され、且つ両者の間に収容空間１２１が形成される。伸縮アセンブリ１２５は、収容空間１２１に配置され、且つ左側フレーム１２４と右側フレーム１２６との間に伸縮可能に接続される。左側フレーム１２４と右側フレーム１２６との間の距離の変化は、伸縮アセンブリ１２５によって実現される。
【００１６】
図４及び図５に示されたように、左側フレーム１２４は、第一底壁１２４１と、第一底壁１２４１の対向する両側に形成された一対の第一側壁１２４２と、第一底壁１２４１と一対の第一側壁１２４２との間に接続された第一接続壁１２４３と、を備える。第一底壁１２４１には、第一ねじ穴１２４４及び細長い第一位置制限スロット１２４５が設けられている。第一底壁１２４１における第一接続壁１２４３及び一対の第一側壁１２４２に近い箇所には２つの片隅が形成され、それぞれ第一片隅と第二片隅と呼ばれる。第一ねじ穴１２４４は第一片隅に位置する。第一位置制限スロット１２４５は、第二片隅から第一接続壁１２４３の延在方向に沿って伸びる。第一ねじ穴１２４４及び第一位置制限スロット１２４５は、伸縮アセンブリ１２５を取り付けるために用いられる。一方の第一側壁１２４２には２つの第一溝１２４６が設けられており、２つの第一溝１２４６は第一側壁１２４２における第一接続壁１２４３から離れている端面に開口を形成する。さらに、２つの第一溝１２４６は互いに平行する。
【００１７】
図４及び図６を参照すると、右側フレーム１２６と左側フレーム１２４とほぼ同じ構造である。右側フレーム１２６は、第二底壁１２６１と、第二底壁１２６１の対向する両側に形成された一対の第二側壁１２６２と、第二底壁１２６１と一対の第二側壁１２６２との間に接続された第二接続壁１２６３と、を備える。第二底壁１２６１には、２つの片隅に位置する第二ねじ穴１２６４及び細長い第二位置制限スロット１２６５が設けられている。第二位置制限スロット１２６５は、第二接続壁１２６３の延在方向に沿って伸びる。第二ねじ穴１２６４及び第二位置制限スロット１２６５は、伸縮アセンブリ１２５を取り付けるために用いられる。一方の第二側壁１２６２には２つの第二溝１２６６が設けられており、２つの第二溝１２６６は第二側壁１２６２における第二接続壁１２６３から離れている端面に開口を形成する。さらに、２つの第二溝１２６６は互いに平行する。右側フレーム１２６と左側フレーム１２４の差異は、右側フレーム１２６の一対の第二側壁１２６２にはそれぞれ１つのノッチ１２６７が設けられており、ノッチ１２６７は第二側壁１２６２における第二底壁１２６１から離れている端面に設けられる。さらに、別々に一対の第二側壁１２６２に位置する２つのノッチ１２６７は互いに対向して設置され、且つ第二接続壁１２６３に近い。２つのノッチ１２６７はサポートアセンブリ１４を位置決めるために用いられる。
【００１８】
左側フレーム１２４と右側フレーム１２６は対向して設置されており、第一底壁１２４１と第二底壁１２６１は同一平面上にある。一対の第一側壁１２４２は別々に一対の第二側壁１２６２に接続される。左側フレーム１２４と右側フレーム１２６とが互いに接近すると、図３に示されたように、一対の第一側壁１２４２は別々に一対の第二側壁１２６２の内側に位置する。この時、２つの第一溝１２４６は別々に２つの第二溝１２６６と重なる。接続素子は、第一溝１２４６及び第二溝１２６６を介してフレームアセンブリ１２の内側からフレームアセンブリ１２の外側に伸び出し、リストベルト２０の特徴とマッチングする。例えば、図３８及び図４７に示されたように、２つの第一溝１２４６及び２つの第二溝１２６６が所在する箇所では、ＦＰＣ１１及び接続シート１２７は別々にフレームアセンブリ１２の内側からフレームアセンブリ１２の外側に伸び出す。特に、ＦＰＣ１１は上方に位置する第一溝１２４６及び第二溝１２６６から伸び出し、接続シート１２７は下方に位置する第一溝１２４６及び第二溝１２６６から伸び出す。これによって、ＦＰＣ１１と接続シート１２７の延在経路は互いに離間し、両者が互いに干渉することを免れる。もちろん、第一溝１２４６の数量と第二溝１２６６の数量は全て１つであることもでき、ＦＰＣ１１及び接続シート１２７は同じ溝からフレームアセンブリ１２の外側に伸び出す。第一位置制限スロット１２４５及び第二位置制限スロット１２６５は互いに平行し、第一位置制限スロット１２４５及び第二位置制限スロット１２６５の延在方向は、左側フレーム１２４と右側フレーム１２６との間の相対移動方向に垂直する。
【００１９】
本願の一実施形態では、伸縮アセンブリ１２５は、複数の連結ロッドをヒンジで互いに連結することによって形成された連結ロッド構造である。他の実施形態では、伸縮アセンブリ１２５は、スリーブタイプの構造であることもでき、例えば、トランクの伸縮構造に類似する。
【００２０】
図７及び図８に示されたように、本願で使用される伸縮アセンブリ１２５は、ロッドアセンブリ１２５２と、弾性部材１２５４と、を備える。ロッドアセンブリ１２５２は少なくとも２つの連結ロッドを備え、少なくとも２つの連結ロッドはヒンジで連結される。弾性部材１２５４は、コイルばね又はばねであることができる。弾性部材１２５４は、ロッドアセンブリ１２５２の少なくとも２つの連結ロッドを弾性的に接続する。弾性部材１２５４が伸展状態にあるとき、ロッドアセンブリ１２５２は伸長状態にあり、ロッドアセンブリ１２５２が収縮状態にあるとき、弾性部材１２５４は弾性圧縮状態にある。
【００２１】
ロッドアセンブリ１２５２は、別々に左側フレーム１２４及び右側フレーム１２６に固定された第一固定端Ｐ１及び第２固定端Ｐ２と、左側フレーム１２４及び右側フレーム１２６にスライド可能に接続された第一移動端Ｐ３及び第二移動端Ｐ４と、を備える。１２４と右フレーム１２６である。図９、図１０、図１１及び図１２を参照すると、第一固定端Ｐ１は第一ねじ穴１２４４に固定され、第２固定端Ｐ２は第二ねじ穴１２６４に固定され、第一移動端Ｐ３は第一位置制限スロット１２４５に取り付けられ、第二移動端Ｐ４は第二位置制限スロット１２６５に取り付けられる。ロッドアセンブリ１２５２が伸縮する過程で、第一移動端Ｐ３は第一位置制限スロット１２４５内で移動し、第二移動端Ｐ４は第二位置制限スロット１２６５内で移動するので、左側フレーム１２４と右側フレーム１２６との間の相対移動を駆動する。
【００２２】
即ち、上記した実施形態では、ロッドアセンブリ１２５２の両端には別々に２つの端部が設置される。第一固定端Ｐ１及び第２固定端Ｐ２は、左側フレーム１２４及び右側フレーム１２６にとともに伸縮方向で移動するが、左側フレーム１２４及び右側フレーム１２６に対して移動しない。ロッドアセンブリ１２５２が伸縮しているところ、伸縮方向に垂直する方向で、第一移動端Ｐ３と第一固定端Ｐ１との間の距離、第二移動端Ｐ４と第２固定端Ｐ２との間の距離は変化するので、第一移動端Ｐ３及び第二移動端Ｐ４は左側フレーム１２４及び右側フレーム１２６とともに移動しながら、左側フレーム１２４及び右側フレーム１２６に対して移動する。
【００２３】
他の実施形態では、ロッドアセンブリ１２５２の両端には別々に１つの端部が設置されてもよい。例えば、ロッドアセンブリ１２５２は、２つの連結ロッドがヒンジで連結されてＶ字形を呈する。従ってロッドアセンブリ１２５２が伸縮する過程で、ロッドアセンブリ１２５２の両端の端部と左側フレーム１２４及び右側フレーム１２６との間の相対運動の軌跡は円弧状であり、ロッドアセンブリ１２５２の伸縮が左側フレーム１２４と右側フレーム１２６との間の距離の変化を確実に推進するようにする。
【００２４】
一実施形態では、ロッドアセンブリ１２５２は、２つのＸ型連結ロッドアセンブリを直列に接続することによって形成される。もちろん、他の実施形態では、ロッドアセンブリ１２５２はただ１つのＸ型連結ロッドアセンブリを備えることもでき、又は３つ以上のＸ型連結ロッドアセンブリを備えることができ、Ｘ型連結ロッドアセンブリの具体的な数量は、文字盤１０を拡大しようとする寸法の範囲に基づいて確定することができる。
【００２５】
以下、２つのＸ型連結ロッドアセンブリによって形成された伸縮アセンブリ１２５に対して詳細に説明する。
【００２６】
図７〜図１２に示されたように、ロッドアセンブリ１２５２は、第一連結ロッドＲ１と、第二連結ロッドＲ２と、第三連結ロッドＲ３と、第四連結ロッドＲ４と、を備える。４つの連結ロッドは、同じ長さの棒状構造である。第一連結ロッドＲ１の中間部と第三連結ロッドＲ３の中間部はヒンジで連結されてＸ型構造を形成する。第二連結ロッドＲ２の中間部と第四連結ロッドＲ４の中間部はヒンジで連結されてＸ型構造を形成する。第一連結ロッドＲ１の一端と第二連結ロッドＲ２の一端はヒンジで連結される。第一連結ロッドＲ１の他端には第二移動端Ｐ４が設置され、第二連結ロッドＲ２の他端には第一移動端Ｐ３が設置される。即ち、第一連結ロッドＲ１及び第二連結ロッドＲ２の自由端（第一連結ロッドＲ１及び第二連結ロッドＲ２における両者のヒンジ端から離れている一端である）は別々に第二移動端Ｐ４と第一移動端Ｐ３である。第二移動端Ｐ４は、右側フレーム１２６の第二位置制限スロット１２６５を貫いて右側フレーム１２６にスライド可能に接続される。第一移動端Ｐ３は、左側フレーム１２４の第一位置制限スロット１２４５を貫いて左側フレーム１２４にスライド可能に接続される。第三連結ロッドＲ３の一端と第四連結ロッドＲ４の一端はヒンジで連結される。第三連結ロッドＲ３の他端には、第二固定端Ｐ２が設置される。第四連結ロッドＲ４の他端には、第一固定端Ｐ１が設置される。即ち、第三連結ロッドＲ３及び第四連結ロッドＲ４の自由端（第三連結ロッドＲ３及び第四連結ロッドＲ４における両者のヒンジ端から離れている一端である）は別々に第二固定端Ｐ２及び第一固定端Ｐ１である。第一固定端Ｐ１はネジによって左側フレーム１２４の第一ねじ穴１２４４に固定され、第二固定端Ｐ２はネジによって右側フレーム１２６の第二ねじ穴１２６４に固定される。
【００２７】
弾性部材１２５４はコイルばねである。弾性部材１２５４は、第一連結ロッドＲ１と第二連結ロッドＲ２のヒンジで連結される箇所にスリーブされている。弾性部材１２５４の両端は、別々に第一連結ロッドＲ１と第二連結ロッドＲ２に固定されている。ロッドアセンブリ１２５２の伸縮に伴って、第一連結ロッドＲ１と第二連結ロッドＲ２は開状態と閉状態との間で切り替える。この過程で、弾性部材１２５４は弾性変形する。具体的には、図７、図９、図１１に示されたように、第一連結ロッドＲ１にはクランプスロット１２５５が設けられる。クランプスロット１２５５は、第一連結ロッドＲ１と第二連結ロッドＲ２のヒンジ位置と第一連結ロッドＲ１の中央部との間に位置する。クランプスロット１２５５は、第一連結ロッドＲ１の中央部に近接している。弾性部材１２５４の一端は、クランプスロット１２５５に固定される。第二連結ロッドＲ２は、第二連結ロッドＲ２の表面から突出する突出部１２５６を備え、突出部１２５６と第二連結ロッドＲ２の表面との間には内側スロット１２５７が設けられる。弾性部材１２５４の他端は内側スロット１２５７に固定される。
【００２８】
さらに、図７及び図８に示されたように、第一連結ロッドＲ１と第三連結ロッドＲ３の貼り合せ表面には段階１２５８が設置されており、ロッドアセンブリ１２５２の伸縮過程で位置を制限するために用いられる。段階１２５８は、第一連結ロッドＲ１の表面から突出するように設置することができ、第三連結ロッドＲ３の表面から突出するように設置することもできる。段部１２５８は、伸縮過程で第一連結ロッドＲ１と第三連結ロッドＲ３との間の位置を制限するために用いられる。弾性部材１２５４が弾性圧縮状態にある場合、ロッドアセンブリ１２５２は収縮状態にあり、この時、第三連結ロッドＲ３は第一連結ロッドＲ１の段階１２５８に当接して、第一連結ロッドＲ１が続いて第三連結ロッドＲ３に対して活動することを制限する。同様に、第四連結ロッドＲ４と第三連結ロッドＲ３の貼り合せ表面には段階１２５８が設置されており、ロッドアセンブリ１２５２が収縮状態にある場合、この時、第二連結ロッドＲ２は第四連結ロッドＲ４の段階１２５８に当接する。
【００２９】
ロッドアセンブリ１２５２が収縮状態にある場合、図９及び図１０に示されたように、第一移動端Ｐ３は第一位置制限スロット１２４５における第一側壁１２４２に近い一端に位置し、第二移動端Ｐ４は第二位置制限スロット１２６５における第二側壁１２６２に近い一端に位置し、弾性部材１２５４は弾性圧縮状態にある。ロッドアセンブリ１２５２が伸長状態にあるとき、図１１及び図１２に示されたように、第一移動端Ｐ３は第一位置制限スロット１２４５における第一側壁１２４２にから離れた一端に位置し、第二移動端Ｐ４は第二位置制限スロット１２６５における第二側壁１２６２から離れた一端に位置し、弾性部材１２５４は自由状態にある。ロッドアセンブリ１２５２の伸縮方向は、第一位置制限スロット１２４５内の第一移動端Ｐ３の移動方向と垂直する。収縮状態から伸長状態になる過程において、第一連結ロッドＲ１と第二連結ロッドＲ２のヒンジ位置は変化しなく、第三連結ロッドＲ３と第四連結ロッドＲ４のヒンジ位置は、第一連結ロッドＲ１と第二連結ロッドＲ２のヒンジ位置に近付くように移動する。第一固定端Ｐ１は左に向かって移動し、第二固定端Ｐ２は右に向かって移動する。第一移動端Ｐ３は左に向かって且つ第一固定端Ｐ１に向かって移動し、第二移動端Ｐ４は右に向かって且つ第二固定端Ｐ２に向かって移動する。収縮状態から伸長状態になる過程において、第一固定端Ｐ１と第一移動端Ｐ３は常に対向された位置関係を保持し、両者は左右方向における変位は同じであり、第二固定端Ｐ２と第二移動端Ｐ４も常に対向された位置関係を保持し、両者は左右方向における変位も同じである。
【００３０】
図１３及び図１４を参照すると、フレームアセンブリ１２は、接続シート１２７をさらに備える。接続シート１２７の一端は収容空間１２１に設置されて、ロッドアセンブリ１２５２に接続するために用いられる。接続シート１２７は、１つの第一溝１２４６及び１つの第二溝１２６６を貫いて、フレームアセンブリ１２の収容空間１２１の外側に伸び出す。接続シート１２７は、ロッドアセンブリ１２５２と操作ロッド１５（図１８及び図１９に示されている）を接続するために用いられる。接続シート１２７と操作ロッド１５が協力して、ロッドアセンブリ１２５２を収縮状態にロックすることができる。ロッドアセンブリ１２５２が収縮状態にある場合、操作ロッド１５は接続シート１２７に係合し、ロッドアセンブリ１２５２が伸長状態にある場合、操作ロッド１５は接続シート１２７から分離される。
【００３１】
接続シート１２７の一端には固定孔１２７１が設けられている。具体的には、接続シート１２７の一端は、固定部１２７２と、接続部１２７３と、本体１２７４と、を備える。固定部１２７２と本体１２７４は互いに平行であり且つ互いに離間している。接続部１２７３は、固定部１２７２と本体１２７４との間に垂直に接続される。固定孔１２７１は、固定部１２７２に設けられる。固定部１２７２の長さは、本体１２７４の長さより短い。一実施形態において、接続シート１２７は金属シート構造であり、固定部１２７２と接続部１２７３は本体１２７４の一端を折り曲げて形成する。本体１２７４は、第一溝１２４６及び第二溝１２６６からフレームアセンブリ１２の外側に伸び出す。本体１２７４の１つの辺縁には係合スロット１２７５が設けられている。本体１２７４における接続部１２７３から離れた一端（即ちロッドアセンブリ１２５２から離れた一端である）は、第一傾斜面１２７６を備える。ロッドアセンブリ１２５２が収縮状態にある場合、係合スロット１２７５はフレームアセンブリ１２の外側に位置し、且つ係合スロット１２７５と操作ロッド１５が協働してロッドアセンブリ１２５２を収縮状態にロックする。
【００３２】
図２、図１５〜図１９を参照すると、文字盤１０は、ブラケット１４２をさらに備える。ブラケット１４２は、サポートアセンブリ１４の構成部分であり、フレームアセンブリ１２の構成部分であると見なすこともできる。ブラケット１４２は、ブラケット本体１４２１及びベース１４２２を含む。ロッドアセンブリ１２５２はブラケット本体１４２１に接続され、左側フレーム１２４及び右側フレーム１２６はブラケット本体１４２１にスライド可能に接続される。ベース１４２２は、ブラケット本体１４２１に接続され、且つフレームアセンブリ１２の収容空間１２１の外側に位置する。ベース１４２２は、リストベルト２０内に伸び込む。
【００３３】
操作ロッド１５はベース１４２２に弾性的にスライド可能に接続されており、接続シート１２７はベース１４２２内に伸び込み且つ操作ロッド１５と協働してロッキング構造を形成し、ロッドアセンブリ１２５２を収縮位置にロックする。
【００３４】
具体的には、図１８に示されたように、ベース１４２２は、操作ロッド１５及び弾性部材１７を収容するために用いられる。図１６に示されたように、ベース１４２２には、互いに交差し且つ連通される第一案内溝Ｇ１及び第二案内溝Ｇ２が形成されている。第一ガイド溝Ｇ１は、接続シート１２７の本体を収容するために用いられる。第二ガイド溝Ｇ２は、操作ロッド１５を収容するために用いられる。第二ガイド溝Ｇ２は、互いに対向して設置された開放端Ｇ２１及び底端Ｇ２２を備える。開放端Ｇ２１はベース１４２２の辺縁に位置するので、ベース１４２２の外側と第二ガイド溝Ｇ２の内側とは連通される。図１５及び図１７に示されたように、ベース１４２２には、第二案内溝Ｇ２と連通する孔Ｇ３がさらに設けられている。一実施形態において、第一ガイド溝Ｇ１と第二ガイド溝Ｇ２の延在方向は垂直し、第二ガイド溝Ｇ２の延在方向はロッドアセンブリ１２５２の伸縮過程における左側フレーム１２４と右側フレーム１２６の相対移動方向と同じである。第一案内溝Ｇ１は、フレームアセンブリ１２の内部の収容空間１２１と連通される。
【００３５】
図１９に示されたように、操作ロッド１５は、対向して設置されたヘッドエンド１５１と、テールエンド１５２と、ヘッドエンド１５１とテールエンド１５２との間に接続された底面１５３及び係合面１５４と、を備え、底面１５３及び係合面１５４は対向して設置される。係合面１５４には、突起部１５５と、凹部１５６と、係止部１５７とが設けられている。具体的には、凹部１５６は突起部１５５と係止部１５７との間に設けられる。操作ロッド１５は第二ガイド溝Ｇ２に取り付けられ、突起部１５５は孔Ｇ３に収容される。突起部１５５の寸法は孔Ｇ３の寸法より小さいので、突起部１５５は孔Ｇ３内で移動可能であり、従って第二ガイド溝Ｇ２における操作ロッド１５の移動距離を制限する。係止部１５７は、接続シート１２７の係合スロット１２７５と係合するために用いられる。係止部１５７は第一ガイド溝Ｇ１の内側に向く第二傾斜面１５７２を備え、第二傾斜面１５７２はフレームアセンブリ１２に向かう。第二傾斜面１５７２は第一傾斜面１２７６と協働して、接続シート１２７の移動によって、操作ロッド１５が第二ガイド溝Ｇ２内で移動するようにすることを実現する。操作ロッド１５の係止部１５７と接続シート１２７の係合スロット１２７５は同じ形状を有し、係止部１５７は係合スロット１２７５に収容されて、接続シート１２７の位置をロックすることができる。
【００３６】
弾性部材１７は、操作ロッド１５とベース１４２２との間に弾性的に接続されている。具体的に、弾性部材１７は、第二ガイド溝Ｇ２内に収容され且つ操作ロッド１５のテールエンド１５２と第二ガイド溝Ｇ２の底端Ｇ２２との間に弾性的に接続されている。操作ロッド１５のヘッドエンド１５１は第二ガイド溝Ｇ２の開放端Ｇ２１からベース１４２２の外側へ伸び出して、使用者が操作するようにする。
【００３７】
ロッドアセンブリ１２５２が収縮状態にあるとき、操作ロッド１５のヘッドエンド１５１は第二ガイド溝Ｇ２の開放端Ｇ２１から伸び出して、ベース１４２２の外側に位置し、操作ロッド１５の突起部１５５は孔Ｇ３の一端に当接し、係止部１５７と係合スロット１２７５は係合して、接続シート１２７は位置制限され、ロッドアセンブリ１２５２に対する接続シート１２７の引っ張り力は、ロッドアセンブリ１２５２における弾性部材１２５４の弾性回復力を打ち消す。
【００３８】
フレームアセンブリ１２を伸長する必要がある場合、操作ロッド１５のヘッドエンド１５１を押圧して、操作ロッド１５は第二ガイド溝Ｇ２内で移動し、係止部１５７が係合スロット１２７５から離れるようにする。この時、ロッドアセンブリ１２５２に対する接続シート１２７の引っ張り力はなくなり、ロッドアセンブリ１２５２における弾性部材１２５４の弾性回復力の作用によって、左側フレーム１２４及び右側フレーム１２６は左右両側に向かって移動するとともに、接続シート１２７がフレームアセンブリ１２の収容空間１２１内に移動するようにする。操作ロッド１５のヘッドエンド１５１を放すと、ベース１４２２内の弾性部材１７の弾性力の作用によって、操作ロッド１５は初期位置に戻る。
【００３９】
フレームアセンブリ１２を収縮する必要がある場合、左側フレーム１２４及び右側フレーム１２６を中間に向かって押圧推進すると、左側フレーム１２４及び右側フレーム１２６が互いに向かって移動するとともに、接続シート１２７がベース１４２２の第一ガイド溝Ｇ１に移動するようにする。接続シート１２７の第一傾斜面１２７６は操作ロッド１５の第二傾斜面１５７２に当接して、操作ロッド１５が第二ガイド溝Ｇ２の底端Ｇ２２に向かって移動するようにする。接続シート１２７が、係止部１５７が係合スロット１２７５と接触する位置まで移動すると、第二案内溝Ｇ２内の弾性部材１７が弾性回復して、操作ロッド１５が第二案内溝Ｇ２の開放端Ｇ２１に向かって移動するようにする。係止部１５７は係合スロット１２７５内に移動して、接続シート１２７を固定する。
【００４０】
伸長過程及び収縮過程において、ブラケット１４２の位置は元のままである。
【００４１】
図１５及び図１６に示されたように、ブラケット１４２のブラケット本体１４２１は、フロントバッフル１４２３と、リアバッフル１４２４と、プレート１４２５と、支持梁１４２６と、を備える。フロントバッフル１４２３とリアバッフル１４２４は、離間して対向設置されている。フロントバッフル１４２３及びリアバッフル１４２４における互いに対向する表面には、全て２つの位置制限ストリップ１４２７が設置されており、２つの位置制限ストリップ１４２７の間に位置制限通路が形成される。位置制限通路は、左側フレーム１２４の第一側壁１２４２及び右側フレーム１２６の第二側壁１２６２を収容するために用いられる。換言すると、位置制限通路は、左側フレーム１２４及び右側フレーム１２６と協同して、左側フレーム１２４及び右側フレーム１２６がブラケット１４２にスライド可能に接続することを実現する。プレート１４２５及び支持梁１４２６は、フロントバッフル１４２３及びリアバッフル１４２４の両側に対向して設置される。プレート１４２５の対向する２つの側辺の辺縁は別々にフロントバッフル１４２３の１つの位置制限ストリップ１４２７とリアバッフル１４２４の１つの位置制限ストリップ１４２７に接続され、フロントバッフル１４２３及びリアバッフル１４２４はプレート１４２５の同じ側に位置する。プレート１４２５は、左側フレーム１２４及び右側フレーム１２６の頂端、即ち左側フレーム１２４の第一底壁１２４１に対向する片側及び右側フレーム１２６の第二底壁１２６１に対向する片側に取り付けられる。支持梁１４２６の一端の辺縁はフロントバッフル１４２３の他の１つの位置制限ストリップ１４２７に接続され、支持梁１４２６の他端の辺縁はリアバッフル１４２４の他の１つの位置制限ストリップ１４２７に接続される。支持梁１４２６とプレート１４２５は対向して設置される。支持梁１４２６は、フロントバッフル１４２３とリアバッフル１４２４との間に接続されて、「工」字形構造を形成する。
【００４２】
支持梁１４２６は、ロッドアセンブリ１２５２を接続するために用いられる。伸縮アセンブリ１２５は、支持梁１４２６を中心として伸縮する。支持梁１４２６には第三ねじ穴１４２９及び第三位置制限スロット１４２８が設けられ、第三ねじ穴１４２９はリアバッフル１４２４に近く、第三位置制限スロット１４２８はフロントバッフル１４２３に近い。フロントバッフル１４２３におけるリアバッフル１４２４から離れている片側はベース１４２２に接続される。第三ねじ穴１４２９は、左側フレーム１２４の第一底壁１２４１の第一ねじ穴１２４４と右側フレーム１２６の第二底壁１２６１の第二ねじ穴１２６４との間に位置する。第一ねじ穴１２４４、第三ねじ穴１４２９及び第二ねじ穴１２６４は同一直線上にある（これは、三者の中心点が同一直線上にあることを意味する）。第三位置制限スロット１４２８は、第一位置制限スロット１２４５と第二位置制限スロット１２６５との間に位置する。第一位置制限スロット１２４５、第三位置制限スロット１４２８及び第二位置制限スロット１２６５は互いに平行であり、且つ三者の中心点は同一直線上にある。第三ねじ穴１４２９は、第一連結ロッドＲ１と第二連結ロッドＲ２との間のヒンジ位置の回転軸を固定するために用いられる。第三位置制限スロット１４２８は、第三連結ロッドＲ３と第四連結ロッドＲ４との間のヒンジ位置の回転軸を取り付けるために用いられる。接続シート１２７の一端の固定孔１２７１は、第三連結ロッドＲ３と第四連結ロッドＲ４との間のヒンジ位置の回転軸に固定接続される。
【００４３】
ロッドアセンブリ１２５２が収縮状態にあるとき、第一底壁１２４１及び第二底壁１２６１はそれぞれ支持梁１４２６の対向する両側に接続されている。
【００４４】
プレート１４２５の表面には、スクリーンアセンブリ１６を支持するための複数の突出リブ１４２５２が設けられており、各々の突出リブ１４２５２は互いに離間して一列に配列される。複数の突出リブ１４２５２が設置されたブラケット１４２もサポートアセンブリ１４の一部であると見なすことができる。
【００４５】
図２２〜図２４に示されたように、第一底壁１２４１の底面及び第二底壁１２６１の底面には、全て突出点１２８が設置されている。フレームアセンブリ１２は、左底板１２９１と、右底板１２９２と、支持板１２９３と、をさらに備える。左底板１２９１及び右底板１２９２には全て固定孔が設けられており、固定孔と突出点１２８の協働によって、左底板１２９１は第一底壁１２４１の底面に取り付けられ、右底板１２９２は第二底壁１２６１の底面に取り付けられる。支持板１２９３は、ブラケット１４２のフロントバッフル１４２３及びリアバッフル１４２４に固定接続されており、且つ支持梁１４２６を覆う。支持板１２９３は、左側フレーム１２４及び右側フレーム１２６の移動に伴って移動しない。フレームアセンブリ１２が収縮状態にある場合、支持板１２９３は左底板１２９１及び右底板１２９２を覆って、図２３に示されたように、支持板１２９３だけが見える。フレームアセンブリ１２が伸長状態にある場合、左底板１２９１及び右底板１２９２は支持板１２９３から伸び出して左側フレーム１２４及び右側フレーム１２６を支持し、図２４に示されたように、左底板１２９１、右底板１２９２及び支持板１２９３は互いに接続されて、フレームアセンブリの連続的な底面を形成する。
【００４６】
図２５に示されたように、リールアセンブリ１８はスクリーンアセンブリ１６を巻くために用いられ、リールアセンブリ１８はフレームアセンブリの内側に設置され、具体的には右側フレーム１２６の内側に取り付けられる。右側フレーム１２６の第二側壁１２６２にはねじ穴が設けられており、ねじによってリールアセンブリ１８の両端をねじ穴に取り付ける。スクリーンアセンブリ１６はフレキシブルスクリーンであり、フレームアセンブリ１２が収縮する場合、スクリーンアセンブリ１６の一部がリールアセンブリ１８に巻き取られ、フレームアセンブリ１２が伸長する場合、スクリーンアセンブリ１６はリールアセンブリ１８から解放されて展開される。
【００４７】
リールアセンブリ１８は、リール１８１と、コネクタ１８２と、位置制限部材１８３と、スプリング１８４と、を備える。コネクタ１８２は、フレームアセンブリ１２に固定接続されている。位置制限部材１８３は、フレームアセンブリ１２に回転可能に接続されている。リール１８１の一端はコネクタ１８２に回転可能に接続され、リール１８１の他端は位置制限部材１８３に固定接続される。スプリング１８４の両端はそれぞれコネクタ１８２及び位置制限部材１８３に固定接続される。リール１８１が回転すると、位置制限部材１８３はリール１８１とともに回転し、コネクタ１８２はリール１８１とともに回転しない。リール１８１が回転すると、スプリング１８４の一端は位置制限部材１８３とともに回転し、他端はコネクタ１８２に対して静止したままであり、それによって弾性回復力を生じる。位置制限部材１８３は、バックル（即ち後の実施形態で記述した段階１８３２である）によってリール１８１の他端に固定接続される。
【００４８】
一実施形態では、図２５及び図２６に示されたように、リールアセンブリ１８は、リール１８１と、コネクタ１８２と、位置制限部材１８３と、スプリング１８４と、固定部材１８５と、を備える。リール１８１は、対向する２つの端面と、２つの端面の間に接続された側面と、を備え、側面は円筒面である。リール１８１は、両端が開口された中空筒状を呈している。リール１８１の側面にはシーム（ｓｅａｍ）１８１２が設けられており、シーム１８１２はスクリーンアセンブリ１６を固定するために用いられる。コネクタ１８２はリール１８１の一端の開口に取り付けられ、コネクタ１８２とリール１８１との間は円周方向で回転自在に接続されており（即ちリールの円周方向でいかなる位置制限構造はない）、コネクタ１８２とリール１８１の回転中心は全てリール１８１の軸心である。固定部材１８５はコネクタ１８２を右側フレーム１２６の第二側壁１２６２に接続するために用いられ、固定部材１８５と右側フレーム１２６及びコネクタ１８２とが協同して、コネクタ１８２と右側フレーム１２６との間の円周方向の位置制限を実現し、即ちコネクタ１８２は右側フレーム１２６に対して回転することはできない。位置制限部材１８３は、リール１８１の他端の開口に接続されている。位置制限部材１８３はリール１８１に固定接続されており、位置制限部材１８３とリール１８１は円周方向で位置制限接続されており、即ち位置制限部材１８３とリール１８１は相対回転することはできない。位置制限部材１８３は、ネジによって右側フレーム１２６のねじ穴に回転可能に接続されている。スプリング１８４はリール１８１の内部に収容されている。スプリング１８４の一端はコネクタ１８２に接続され、スプリング１８４の他端は位置制限部材１８３に接続される。スプリング１８４はリール１８１の内部で軸方向圧縮状態にあり、スプリング１８４の弾性力によってコネクタ１８２に対する推進力を生成するので、コネクタ１８２が右側フレーム１２６に当接するようにする。
【００４９】
図２７に示されたように、位置制限部材１８３は、台座１８３１と、台座１８３１に形成された段階１８３２（前述したバックルである）と、突出柱１８３３と、を備える。リール１８１における位置制限部材１８３に接続される一端には切り欠き１８１３が設けられる。段階１８３２はリール１８１の切欠き１８１３に係合して、位置制限部材１８３とリール１８１との間の円周方向の固定接続を実現する。突出柱１８３３には貫通孔１８３４が設けられており、貫通孔１８３４はスプリング１８４を固定するために用いられる。さらに、台座１８３１はリール１８１の端面を覆う。台座１８３１の表面から円台が突出して設置され、突出柱１８３３は円台における台座１８３１から離れている表面に形成される。好ましい実施形態において、突出柱１８３３は円台の中央領域に位置する。段階１８３２は円台の側面に位置し且つ台座１８３１の表面に形成される。好ましい実施形態では、段階１８３２の数量は２つであり、且つ円台の周囲に対称的に分布され、これに対応して切り欠き１８１３の数量も２つである。一実施形態では、台座１８３１は円盤状であり、リール１８１は円筒状である。円台はリール１８１の中に伸び込み且つリール１８１の内表面に接触する。位置制限部材１８３とリール１８１が一緒に回転する時、突出柱１８３３はスプリング１８４の一端を回転させるように駆動するが、スプリング１８４の他端はコネクタ１８２に固定接続されて回転できないので、スプリング１８４はねじれて弾性変形される。スプリング１８４がねじることによって生じる弾性変形はリール１８１を自動的に逆回転させる。図３１に示されたように、位置制限部材１８３の台座１８３１にはねじ穴が設けられており、ねじ１８６とねじ穴の協働によって、位置制限部材１８３は右側フレーム１２６に回転可能に接続される。
【００５０】
図２８に示されたように、ねじ１８６は、ねじ頭部の片側に形成された平滑部分１８６２と、ねじ山部分１８６４と、を備える。図３１に示されたように、平滑部分１８６２は右側フレーム１２６のねじ穴を通過し、ねじ山部分１８６４は台座１８３１のねじ穴に係止される。ねじ１８６は台座１８３１に固定されており、ねじ１８６の平滑部分１８６２は右側フレーム１２６とリールアセンブリ１８との間の接続回転軸に相当する。平滑部分１８６２の表面は滑らかであり、平滑部分１８６２と右側フレーム１２６のねじ穴とは隙間嵌めされており、平滑部分１８６２と右側フレーム１２６とは相対的に自由に回転することができる。
【００５１】
図２９に示されたように、コネクタ１８２はベースプレート（ｂａｓｅ  ｐｌａｔｅ）１８２１と、ラグ（ｌｕｇ）１８２２と、を備える。ベースプレート１８２１には溝１８２３が設けられており、溝１８２３は非回転対称構造を有し、例えば、溝１８２３は半円形、多辺形などであることができる。ベースプレート１８２１はリール１８１の端面を覆い、ラグ１８２２はリール１８１内に伸び込む。ラグ１８２２には貫通孔１８２４が設けられており、貫通孔１８２４はスプリング１８４の一端を固定するために用いられる。ラグ１８２２は接触面１８２２１をさらに備え、図３１に示されたように、接触面１８２２１はリール１８１の内表面に接触する。接触面１８２２１は円筒面であり、接触面１８２２１がリール１８１の内表面と接触することによって、コネクタ１８２とリール１８１との間の半径方向の位置制限が実現され、コネクタ１８２とリール１８１は安定的に回転接続されて、半径方向で動揺しない。半径方向とは、リール１８１の軸方向に垂直する方向である。
【００５２】
コネクタ１８２は、右側フレーム１２６の内側に位置する。図３０に示されたように、固定部材１８５は、固定頭１８５１及び挿入ロッド１８５２を備える。挿入ロッド１８５２の形状は、コネクタ１８２のベースプレート１８２１の溝１８２３の形状と一致する。挿入ロッド１８５２及び溝１８２３は全て非回転対称構造を有し、挿入ロッド１８５２と溝１８２３が協働して、コネクタ１８２と固定部材１８５の固定接続を実現する。一実施形態において、挿入ロッド１８５２は、円筒面の一部が切り取られた形状であり、即ち円弧面と平面によって構成される。他の実施形態において、挿入ロッド１８５２が溝１８２３に挿入されたときに溝１８２３に対して回転できない限り、挿入ロッド１８５２の界面は、三角形、正方形、又は他の不規則な形状であることもできる。固定頭１８５１も非回転対称構造であることができ、例えば、固定頭は正方形である。
【００５３】
図３１に示されたように、右側フレーム１２６の側壁には、固定部材１８５の固定頭１８５１にマッチングするスロット、例えば正方形のスロットが設けられており、固定頭１８５１は正方形のスロットに収容され、両者は回転できないように接続される。固定頭１８５１の端面には孔１８５３が設けられている。コネクタ１８２はリール１８１に固定されていなく、リール１８１が回転しても、コネクタ１８２を回転させるように駆動しない。
【００５４】
リール１８１内のスプリング１８４の円周方向のねじり力を調整する必要がある場合、固定部材１８５の一部を右側フレーム１２６の正方形のスロットから引き出すことができ、それから工具を固定部材１８５の固定頭１８５１の孔１８５３に挿入して、固定頭１８５１を回転させる。固定部材１８５の挿入ロッド１８５２の平面はコネクタ１８２の溝１８２３の平面に当接するので、コネクタ１８２を一緒に回転させるようにする。コネクタ１８２はそのラグ１８２２によってスプリング１８４の一端を回転させることにより、スプリング１８４がねじられて、ねじり力が変化する。だから、右側フレーム１２６の正方形のスロットは第二側壁１２６２に設けられた貫通スロットであるので、フレームアセンブリ１２の外側でリール１８１内のスプリング１８４のねじり力を調整することができ、文字盤１０を取り外すことを必要としない。調整が完了した後、固定部材１８５を再び正方形のスロットに押し込まればよい。
【００５５】
文字盤１０が伸長するように展開されると、スクリーンアセンブリ１６が引っ張られるので、リール１８１が回転してリール１８１内のスプリング１８４をねじり変形させ、それによって弾性回復力を生じる。ユーザが左側フレーム１２４及び右側フレーム１２６を押して、文字盤１０を収縮させると、捩り弾性力の作用によって、リール１８１が回転して、スクリーンアセンブリ１６がリール１８１に巻き取られる。だから、本願は、スクリーンアセンブリ１６を自動的に巻き取る効果を実現することができる。リール１８１内のスプリング１８４のねじり変形の弾性力は、フレームアセンブリ１２のロッドアセンブリ１２５２に弾性接続された弾性部材１２５４の弾性力より小さく、従って文字盤１０が伸長されてからリール１８１内のスプリング１８４によって自動的に収縮することを防止する。
【００５６】
図３２〜図３６に示されたように、サポートアセンブリ１４は、左側支持フレーム１４４と、右側支持フレーム１４６と、ブラケット１４２と、を備える。フレームアセンブリ１２もサポートアセンブリ１４の一部に属する。左側フレーム１２４及び右側フレーム１２６は、ブラケット１４２のフロントバッフル１４２３及びリアバッフル１４２４の位置制限ストリップ１４２７内にスライド可能に接続される。左側支持フレーム１４４は左側フレーム１２４に固定され、右側支持フレーム１４６は右側フレーム１２６に固定される。
【００５７】
図３２に示されたように、左側支持フレーム１４４は、第一ベース１４４１と、一対の第一側板１４４２と、第一底板１４４３と、第一歯部１４４４と、を備える。
【００５８】
第一ベース１４４１は円弧形状を有する。具体的には、第一ベース１４４１の断面は半円形であり、第一ベース１４４１の表面は半円筒面を呈する。第一歯部１４４４及び第一底板１４４３は、それぞれ第一ベース１４４１の上部及び下部に接続されている。第一歯部１４４４の表面から第一底板１４４３の表面まで、円弧形状の第一ベース１４４１によって滑らかに過度延在される。さらに、第一歯部１４４４の所在平面と第一底板１４４３の所在平面は互いに平行する。一対の第一側板１４４２はそれぞれ第一ベース１４４１の前端部及び後端部に位置し、第一側板１４４２は第一ベース１４４１と第一底板１４４３との間に接続されている。
【００５９】
第一側板１４４２は、左側フレーム１２４の第一側壁１２４２に固定接続されるために用いられる。具体的には、第一側板１４４２にはねじ穴が設けられており、ねじ穴を貫通するネジによって、第一側板１４４２は左側フレーム１２４の第一側壁１２４２の内表面に固定される。第一側壁１２４２及び第一底板１４４３は、フレームアセンブリ１２の収容空間１２１内に収容される。左側支持フレーム１４４は左側フレーム１２４と共に移動することができる。スクリーンアセンブリ１６の一端は、左側支持フレーム１４４の第一ベース１４４１と左側フレーム１２４の第一接続壁１２４３との間の間隙を貫いて固定接続され、且つ内部の電子部品に電気的に接続される。
【００６０】
第一歯部１４４４は、複数の歯１４４５を備える。各歯１４４５は、根元部及び先端部を含む。根元部から先端部までの距離が歯１４４５の長さであり、歯１４４５の長さ方向に垂直する寸法が歯１４４５の幅である。一実施形態では、第一歯部１４４４において、隣接する２つの歯１４４５の間の垂直距離Ｌ（即ち隣接する２つの歯の間の隙間の幅である）は、単一の歯１４４５の幅Ｗの二倍である。
【００６１】
図３３に示されたように、右側支持フレーム１４６は、第二ベース１４６１と、第二歯部１４６４と、一対の突出シート１４６２と、を備える。
【００６２】
第二ベース１４６１は円弧形状を呈する。具体的には、第二ベース１４６１の断面は円弧形であり、第二ベース１４６１の表面は、四分の一の円筒面の形状を呈する。第二ベース１４６１は、前端面、後端面、前端面と後端面との間に接続された側面を備える。第二歯部１４６４は側面に接続されている。前端面及び後端面には全てねじ穴１４６３が設けられており、第二ベース１４６１は、そのねじ穴１４６３を貫通するねじによって、右側フレーム１２６の第二側壁１２６２の内表面に固定される。一対の突出シート１４６２は、それぞれ前端面及び後端面から突出し、図３５に示されたように、突出シート１４６２は右側フレーム１２６の第二側壁１２６２のノッチ１２６７に係合するので、右側支持フレーム１４６を右側フレーム１２６に便利に位置決めることができる。右側支持フレーム１４６は右側フレーム１２６とともに移動することができる。スクリーンアセンブリ１６の他端は右側支持フレーム１４６の第二ベース１４６１と右側フレーム１２６の第二接続壁１２６３との間の隙間を貫いてからリールアセンブリ１８に巻き取られる。
【００６３】
第二歯部１４６４は第一歯部１４４４と同じ構造を有し、第二歯部１４６４の歯１４６５の寸法は、第一歯部１４４４の歯１４４５の寸法と同じである。一実施形態では、第二歯部１４６４において、隣接する２つの歯１４６５の間の垂直距離Ｌ（即ち隣接する２つの歯の間の隙間の幅である）は、単一の歯１４６５の幅Ｗの二倍である。
【００６４】
図３４及び図３５に示されたように、左側支持フレーム１４４の第一歯部１４４４と右側支持フレーム１４６の第二歯部１４６４は同一平面上にある。左側支持フレーム１４４及び右側支持フレーム１４６は、それぞれブラケット１４２のブラケット本体１４２１の両側に位置する。ブラケット本体１４２１のプレート１４２５の表面上の複数の突出リブ１４２５２は互いに間隔を置いて配列されている。突出リブ１４２５２の所在平面は、左側支持フレーム１４４の第一歯部１４４４及び右側支持フレーム１４６の第二歯部１４６４と同一平面上にある。隣接する２つの突出リブ１４２５２の間の間隙は収容溝を形成し、第一歯部１４４４の歯１４４５及び第二歯部１４６４の歯１４６５は収容溝に収容されることができる。各収容溝は、第一歯部１４４４の１つの歯と第二歯部１４６４の１つの歯を収容する。一実施形態では、隣接する２つの突出リブ１４２５２の間の隙間の幅は、第一歯部１４４４の１つの歯１４４５の幅と第二歯部１４６４の１つの歯１４６５の幅の和と等しい。その中の１つの突出リブ１４２５２の幅は、第一歯部１４４４の１つの歯１４４５の幅又は第二歯部１４６４の１つの歯１４６５の幅と等しい。具体的には、収容溝の幅は、第一歯部１４４４の１つの歯１４４５の幅又は第二歯部１４６４の１つの歯１４６５の幅以上であり、且つ第一歯部１４４４の１つの歯１４４５の幅と第二歯部１４６４の１つの歯１４６５の幅の和より小さい。
【００６５】
左側支持フレーム１４４及び右側支持フレーム１４６において、隣接する２つの歯の間の隙間の幅は歯の幅の２倍であるが、ブラケット本体１４２１のプレート１４２５の表面上の突出リブ１４２５２の幅は、歯１４４５、１４６５の幅と同じである。だから、図３４に示されたように、左側支持フレーム１４４及び右側支持フレーム１４６が左側フレーム１２４及び右側フレーム１２６とともに移動して収縮する場合、右側支持フレーム１４６の歯１４６５及び左側支持フレーム１４４の歯１４４５はブラケット本体１４２１の突出リブ１４２５２の間の間隙内に収容されて、左側支持フレーム１４４及び右側支持フレーム１４６の歯１４４５、１４６５とブラケット本体１４２１の突出リブ１４２５２は一緒に比較的に平らな平面を形成して、平らな平面上のスクリーンアセンブリ１６のタッチ触感を保証する。
【００６６】
図３５に示されたように、左側支持フレーム１４４及び右側支持フレーム１４６が左側フレーム１２４及び右側フレーム１２６とともに移動して伸長する場合、右側支持フレーム１４６の歯１４６５及び左側支持フレーム１４４の歯１４４５はただ一部分がブラケット本体１４２１の突出リブ１４２５２の間の間隙（即ち収容溝）内に収容されて、左側支持フレーム１４４及び右側支持フレーム１４６の歯１４４５、１４６５とブラケット本体１４２１の突出リブ１４２５２は一緒に不連続平面を形成し、即ち隣接する支持面（歯１４４５、１４６５及び突出リブ１４２５２におけるスクリーンアセンブリ１６を支持する表面を指す）は収容溝によって分離される。しかしながら、横方向（即ち左から右への方向）において、各突出リブ１４２５２と、隣接する左側支持フレーム１４４の歯１４４５及び右側支持フレーム１４６の歯１４６５とは、連続的に分布される。長手方向において、隣接する２つの歯１４４５、１４６５の間の間隔及び隣接する２つの突出リブ１４２５２の間の間隔は、依然としてスクリーンアセンブリをよく支持することができる。実際は、人の手指の幅は突出リブ１４２５２の間の間隔と歯１４４５、１４６５の間の間隔よりはるかに大きいので、スクリーンアセンブリ１６をタッチする触感はあまり大きい影響を受けない。
【００６７】
図３６に示されたように、左側支持フレーム１４４内にさらにトレイ１４７が固定されている。トレイ１４７は、第一歯部１４４４と第一底板１４４３との間に位置し、回路基板１４８を支持し且つ位置決めるために用いられる。トレイ１４７の底部は左側支持フレーム１４４の第一底板１４４３に貼り合わせる。回路基板１４８の前面及び背面には、スクリーンアセンブリ１６を制御するためのコントローラ、メモリなどの電子部品が設置られている。他の実施形態において、回路基板１４８は第一底板１４４３に直接に固定されてもよい。具体的には、トレイ１４７は、ねじによって左側支持フレーム１４４の第一側板１４４２とともに左側フレーム１２４の第一側壁１２４２の内表面に固定される。トレイ１４７にはフック１４７２が形成されており、フック１４７２は回路基板１４８をトレイ１４７の上に吊り下げて位置決めるために用いられ、その結果、回路基板１４８の前面と背面は全て電子部品を収容するための収容スペースを有する。
【００６８】
図３７に示されたように、左側支持フレーム１４４の第一底板１４４３と左側フレーム１２４の第一底壁１２４１は互いに離間されて、伸縮アセンブリ１２５（本実施形態ではロッドアセンブリ１２５２である）を収容するための空間を形成する。右側支持フレーム１４６は、リールアセンブリ１８の上方に位置する。リールアセンブリ１８は、右側支持フレーム１４６とロッドアセンブリ１２５２との間に挟まれる。右側支持フレーム１４６の第二ベース１４６１と右側フレーム１２６との間には隙間が形成される。スクリーンアセンブリ１６は隙間を通って右側フレーム１２６の内部に伸び込み且つリール１８１に巻き取られる。
【００６９】
図３８〜図４２に示されたように、本願は、別のサポートアセンブリ１４の構造をさらに提供する。本実施形態のサポートアセンブリ１４と前の実施形態のサポートアセンブリ１４との間の違いは：左側支持フレーム１４４及び右側支持フレーム１４６の歯部構造が異なり、ブラケット１４２のブラケット本体１４２１上で左側支持フレーム１４４及び右側支持フレーム１４６の歯部構造と配合する構造が異なる。前の実施形態のサポートアセンブリ１４において、ブラケット１４２の突出リブ１４２５２の間には収容溝が形成されており、各収容溝内に左側支持フレーム１４４及び右側支持フレーム１４６の歯が収容され、１つの収容溝内に２つの歯が収容されている。本実施形態のサポートアセンブリ１４において、ブラケット１４２のブラケット本体１４２１のプレート１４２５の表面上に突出リブ１４２５２が設置されなく、プレート１４２５の表面と左側支持フレーム１４４及び右側支持フレーム１４６の歯部の表面は同一平面上にあり、且つプレート１４２５の表面に複数の収容溝１４２５３が形成される。収容溝１４２５３の分布は、前の実施形態のブラケット本体１４２１上の収容溝１４２５３の分布よりも密集であり、隣接する２つの収容溝１４２５３の間にスクリーンアセンブリ１６を支持するための支持ストリップが形成され、且つ各収容溝１４２５３はただ左側支持フレーム１４４の１つの歯１４４５又は右側支持フレーム１４６の１つの歯１４６５を収容し、即ち１つの収容溝１４２５３は１つの歯を収容する。左側支持フレーム１４４の歯１４４５と右側支持フレーム１４６の歯１４６５は交互に間隔を置いて分布され且つ収容溝１４２５３と配合し、即ち、収容溝１４２５３は一列に配列されている。収容溝１４２５３の数量は、第一歯部１４４４の歯１４４５の数量と第二歯部１４６４の歯１４６５の数量の和に等しく、隣接する２つの収容溝１４２５３内にそれぞれ左側支持フレーム１４４の歯１４４５及び右側支持フレーム１４６の歯１４６５が収容される。
【００７０】
図４０に示されたように、左側支持フレーム１４４及び右側支持フレーム１４６が左側フレーム１２４及び右側フレーム１２６とともに移動して伸長する場合、隣接する支持面（スクリーンアセンブリ１６を支持するために用いられる歯１４４５、１４６５の表面、及びスクリーンアセンブリ１６を支持するために用いられる隣接する２つの収容溝１４２５３の間に形成された支持ストリップの表面を指す）はブラケット１４２の辺縁に近い位置で連続している。
【００７１】
図４１に示されたように、本実施形態におけるサポートアセンブリ１４の歯１４４５、１４６５の断面は大体円形であり、スクリーンアセンブリ１６にさらによく貼り合わせるために、その頂面は切頭されて平らな支持面を形成する。歯１４４５、１４６５を収容するために、ブラケット１４２の収容溝１４２５３の断面も頂面が切頭された円形である。
【００７２】
左側支持フレーム１４４及び右側支持フレーム１４６の歯１４４５、１４６５は上が狭く下が広い構造を呈するので、収容溝１４２５３の断面も上が狭く下が広い。即ち、ブラケット１４２のプレート１４２５の表面に垂直する方向（即ちスクリーンアセンブリ１６に垂直する方向）の収容溝１４２５３の開口部は、その内部空間の寸法より小さい。このようにして、収容溝１４２５３内の歯１４４５、１４６５は、収容溝１４２５３の内壁に阻まれて、収容溝１４２５３によって垂直方向に位置制限され、歯１４４５、１４６５のいかなる位置は全て収容溝１４２５３を離れることはない。だから、歯１４４５、１４６５の遠位端は反らず、スクリーンアセンブリ１６の平坦性をさらに確保することができる。
【００７３】
さらに、左側支持フレーム１４４の歯１４４５及び第一ベース１４４１は一体成型されることができ、二部分構造であることもでき、即ち別々に製造されてから再び一体に組み立てる。右側支持フレーム１４６の歯１４６５と第二ベース１４６１との間の接続関係も、一体成型されるか、又は二部分構造であることができる。
【００７４】
本願は、起動装置をさらに開示し、スクリーンアセンブリ１６の表示サイズに基づいて、スクリーンアセンブリ１６の操作領域を選択的に起動して、スクリーンアセンブリ１６の操作領域の自動切替効果を実現するために用いられる。文字盤１０は伸縮することができるので、文字盤１０が収縮された場合、起動装置はスクリーンアセンブリ１６を起動して、ただ外部に露出された部分領域を作動させ、巻き取られた部分は作動しない。文字盤１０が展開された場合、スクリーンアセンブリ１６の露出領域が増大し、起動装置はスクリーンアセンブリ１６を起動して、全ての露出領域を作動させる。
【００７５】
起動装置は、コントローラ１４８２と、スクリーンアセンブリ１６と、スクリーンアセンブリ１６を支持するための伸縮可能なサポートアセンブリ１４と、サポートアセンブリ１４を駆動するための駆動アセンブリと、を備える。駆動アセンブリには第一接点が設置されており、サポートアセンブリ１４には第一接点に対して移動可能な第二接点が設置されている。サポートアセンブリ１４の伸縮過程において、第一接点と第二接点は相対的に移動して接触状態にあるか又は分離状態にある。コントローラ１４８２は、第一接点と第二接点の接触状態又は分離状態に基づいて、サポートアセンブリ１４が収縮状態又は伸長状態のどの状態にあるかを判断して、スクリーンアセンブリ１６の表示を制御する。
【００７６】
図４２、図４３、図４４、図４５及び図４６に示されたように、上記した駆動アセンブリは本実施形態のロッドアセンブリ１２５２に相当し、第一接点はロッドアセンブリ１２５２に設置される。第二接点はタブ１９に設置される。タブ１９はサポートアセンブリ１４に固定的に接続されて、サポートアセンブリ１４の構成要素であると見なすことができる。一実施形態では、サポートアセンブリ１４は第一方向に沿って伸縮し、第一接点は第二接点に対して第二方向に沿って移動し、第一方向は第二方向と異なる。好ましい実施形態において、第一方向は第二方向に垂直する。サポートアセンブリ１４が第一方向に沿って伸縮すると、第一接点及び第二接点も第一方向に沿って移動する。
【００７７】
駆動アセンブリは、互いにヒンジで連結された第一連結ロッドＲ１及び第二連結ロッドＲ２を備え、サポートアセンブリ１４が伸長するか又は収縮する場合、第一連結ロッドＲ１及び第二連結ロッドＲ２は相対して移動する。一実施形態では、第一接点は第二連結ロッドＲ２に設置され、第二連結ロッドＲ２は導電性材料から製造され、第二連結ロッドＲ２はコントローラ１４８２に電気的に接続される。第一接点と第二接点が接触すると、第二連結ロッドＲ２とコントローラ１４８２は電流経路を形成する。第一接点と第二接点が分離すると、第二連結ロッドＲ２とコントローラ１４８２によって形成された電流経路が切断される。
【００７８】
図４６に示されたように、具体的には、第一接点は接地され、第二接点はコントローラ１４８２の端子に電気的に接続され、コントローラ１４８２はさらにレジスター（図４６に示されたように、具体的な実施形態ではプルアップレジスター（ｐｕｌｌ-ｕｐ ｒｅｓｉｓｔｏｒ）１４８３である）に電気的に接続される。第一接点が第二接点に接触すると、コントローラ１４８２の端子はローレベルになる。第一接点が第二接点から離れると、レジスター（即ちプルアップレジスター１４８３）はハイレベル信号を生成してコントローラ１４８２の端子に入力する。
【００７９】
本実施形態において、起動動作は、ロッドアセンブリ１２５２の１つ連結ロッド（例えば、第二連結ロッドＲ２）とタブ１９との協働によって実行される。ロッドアセンブリ１２５２は、スクリーンアセンブリ１６を支持するフレームアセンブリ１２の伸縮を駆動するように伸縮することができる。タブ１９は、フレームアセンブリ１２の左側フレーム１２４に固定的に接続されている。ロッドアセンブリ１２５２は、突出柱１９４を備える。ロッドアセンブリ１２５２の伸縮過程において、突出柱１９４はタブ１９に対して移動する。本実施形態において、ロッドアセンブリ１２５２の第一移動端Ｐ３には、左側支持フレーム１４４の底部に向かって延びる突出柱１９４が設置られている。具体的には、突出柱１９４は第二連結ロッドＲ２の一端に設置される。即ち、第一接点は第二連結ロッドＲ２に形成された突出柱１９４を備え、第二接点はタブ１９を備える。
【００８０】
具体的には、サポートアセンブリ１４はトレイ１４７を備え、コントローラ１４８２はトレイ１４７の上方に取り付けられ、第二接点はトレイ１４７の下方に固定される。左側支持フレーム１４４の底部（即ち第一底板１４４３）には、トレイ１４７の底部を露出させる貫通溝が設けられている。タブ１９は、固定シート１９２及び押圧シート１９３を備える。固定シート１９２は、ねじによって貫通溝内に固定される。トレイ１４７及び回路基板１４８は、第一底板１４４３における左側フレーム１２４の第一底壁１２４１から離れた片側に位置する。固定シート１９２は、トレイ１４７内の回路基板１４８上に設置された電子部品に電気的に接続される。押圧シート１９３は、固定シート１９２からロッドアセンブリ１２５２に向かう方向へ突出して延びる。一実施形態において、押圧シート１９３は、曲げ構造を有し、固定シート１９２と一体成型される。押圧シート１９３は固定シート１９２に垂直することができる。押圧シート１９３は、ロッドアセンブリ１２５２に当接するために用いられる。
【００８１】
図４３及び図４５を参照すると、突出柱１９４は、ロッドアセンブリ１２５２に接続された導線１９５によって回路基板１４８（サポートアセンブリ１４における左側支持フレーム１４４に設置された回路基板１４８を指す）の接地端子に接続される。だから、突出柱１９４は接地される。一実施形態において、突出柱１９４とロッドアセンブリ１２５２は全て導電性材料、例えば金属ロッドからなり、ロッドアセンブリ１２５２は導線１９５によって回路基板１４８の接地端子に電気的に接続される。別の実施形態において、ロッドアセンブリ１２５２は絶縁材料からなり、突出柱１９４は導電性材料からなり、突出柱１９４は導線によって回路基板の接地端子に電気的に接続される。
【００８２】
図４３及び図４５に示されたように、タブ１９は、導線１９６によって回路基板１４８上のコントローラ１４８２に電気的に接続される。
【００８３】
突出柱１９４、タブ１９及び回路基板１４８上の電子部品は検知回路を形成し、検知回路は突出柱１９４とタブ１９との間の相対的な位置関係を検知するために用いられ、且つ信号を生成する。回路基板１４８上のコントローラ１４８２は、検知回路から送信する信号を受信し、スクリーンアセンブリ１６の表示を制御するために用いられる。
【００８４】
文字盤１０が収縮される場合、第一移動端Ｐ３は、第一位置制限スロット１２４５における左側フレーム１２４の第一側壁１２４２に近い一端に位置し、突出柱１９４は押圧シート１９３に接触するか又は当接する。タブ１９とロッドアセンブリ１２５２との間の電気的な接続によって、検知回路は閉電流ループを形成することができ、それによって信号を生成する。回路基板１４８上のコントローラ１４８２は信号を受信すると、文字盤１０が収縮状態にあると判断し、さらに、コントローラ１４８２はスクリーンアセンブリ１６を制御してただ外部に露出された部分領域を作動させる。
【００８５】
文字盤１０が伸長される場合、第一移動端Ｐ３は、第一位置制限スロット１２４５における第一側壁１２４２から離れた一端に移動され、突出柱１９４と押圧シート１９３は分離されて、検出回路の電流ループは切断される。コントローラ１４８２は信号を受信することができず、この時点で、コントローラ１４８２は文字盤１０が伸長状態にあると判断し、さらにスクリーンアセンブリ１６を制御して全ての露出領域を作動させる。
【００８６】
図４６を参照すると、一実施形態における起動装置の回路構成は、コントローラ１４８２及びプルアップレジスター１４８３を備える。コントローラ１４８２はタブ１９に電気的に接続され、タブ１９と突出柱１９４との間にスイッチ構造が形成される。タブ１９が突出柱１９４に当接すると、タブ１９は突出柱１９４の接地端子に電気的に接続され、この時点で、コントローラ１４８２の端子の電圧はゼロであり、ローレベルになる。コントローラ１４８２は、ローレベルの信号を受信すると、スクリーンアセンブリ１６が収縮状態にあると判断する。タブ１９と突出柱１９４が分離すると、タブ１９は接地端子から切断され、この時点で、プルアップレジスター１４８３によって生成されたハイレベルがコントローラ１４８２の端子に入力される。コントローラ１４８２はハイレベルの信号を受信すると、スクリーンアセンブリ１６が伸長状態にあると判断する。
【００８７】
本願の起動構造は、伸縮構造（即ちロッドアセンブリ１２５２である）を採用してスクリーンアセンブリ１６の自動切替機能を実現するので、文字盤１０の内部に複雑な切替装置を増加することを必要としなく（構造が簡単であるタブ１９のみが増加されている）、文字盤１０の内部空間を多く占めなく、文字盤１０の構造がよりコンパクトになり、文字盤の内部空間を節約することに有利である。
【００８８】
一実施形態では、文字盤１０の左側フレーム１２４、右側フレーム１２６、左側支持フレーム１４４、右側支持フレーム１４６などは全て金属材料を採用するので、無線通信モジュールが文字盤１０内に設置される場合、金属シールド効果のため、うまく作動することはできない。だから、本願はさらに特別なアンテナ構造を設計する。
【００８９】
図４７に示されたように、アンテナ構造は無線通信モジュール（図示せず）及びアンテナモジュールを備え、無線通信モジュールは文字盤１０内の回路基板１４８に設置される。コントローラ１４８２はＦＰＣ１１に電気的に接続される。ＦＰＣ１１は、サポートアセンブリ１４から伸び出して部分的に文字盤１０の外側に位置する。ＦＰＣ１１における文字盤１０の外側に位置する部分にはアンテナモジュールが設置される。アンテナモジュールは文字盤１０から伸び出したＦＰＣ１１に設置され、且つ導線によって無線通信モジュールに電気的に接続される。
【００９０】
図４８及び図４９に示されたように、具体的には、ＦＰＣ１１は、左側フレーム１２４の第一側壁１２４２の第一溝１２４６及び右側フレーム１２６の第二側壁１２６２の第二溝１２６６からフレームアセンブリ１２を伸び出す。ＦＰＣ１１にはボタン１１２及びカプラー（ｃｏｕｐｌｅｒ）１１３が設置されて、リストベルト２０の構造体に電気的に接続するために用いられる。カプラー１１３及びボタン１１２はＦＰＣ１１の前面に設置されており、且つ導線１１５によって回路基板１４８の電子部品に電気的に接続される。
【００９１】
ＦＰＣ１１における文字盤１０の外側に位置する部分には、アンテナモジュールと離間する補強構造１１４がさらに取り付けられており、補強構造１１４及びアンテナモジュールはＦＰＣの同じ側に位置する。ＦＰＣ１１における文字盤１０の外側に位置する部分にはさらにボタン１１２が設置されており、ボタン１１２及びアンテナモジュールはそれぞれＦＰＣ１１の両側に位置する。具体的には、図４７に示されたように、ＦＰＣ１１の底面には補強構造１１４が設置される。補強構造１１４は、互いに独立した２つの部分を含む。補強構造１１４は剛性材料からなり、ＦＰＣ１１の硬度を補強することができ、ＦＰＣ１１が文字盤１０から伸び出してボタンやコネクタなどの電子部品に平らに接続できるようにする。補強構造１１４は、ＦＰＣに設置されたボタン１１２及びカプラー１１３の安定性及び使用寿命を向上することに有利である。ＦＰＣ１１の底面に設置された補強構造１１４は金属シートであることができる。さらに、補強構造１１４は、アンテナモジュール、即ちアンテナの放射体として機能することができ、導線によってアンテナモジュールと無線通信モジュールを電気的に接続して、無線信号の送受信を実現する。アンテナモジュールは、逆Ｆアンテナ又は他の種類のアンテナに設置されることができる。特に、左側に位置する補強構造１１４と右側に位置する補強構造１１４はトレンチによって分離し且つ互いに絶縁する。左側に位置する補強構造１１４の面積は、右側に位置する補強構造１１４の面積より小さい。左側に位置する補強構造１１４のみがアンテナモジュールとして使用され、右側に位置する補強構造１１４はただ支持補強材として使用される。
【００９２】
文字盤１０から伸び出したＦＰＣ１１はブラケット１４２のベース１４２２に固定され、ＦＰＣ１１の底面はベース１４２２に当接され、リストベルト２０の関連構造と組み合わせるように、ＦＰＣ１１の前面のカプラー１１３及びボタン１１２は露出される。
【００９３】
本願の文字盤１０はリストベルト２０と組み合わせる。リストベルト２０は、ユーザの手首に着用されるために用いられるだけではなく、文字盤１０に電力を供給することもできる。本願において、バッテリモジュール３０はリストベルト２０に設置されて、文字盤１０の内部空間を占めることを防止し、文字盤１０を小さい寸法で設計することに有利である。
【００９４】
図５０〜図５３に示されたように、リストベルト２０は、接続部材２１と、支持シート２２と、包囲体２３と、を備える。接続部材２１は、支持シート２２の一端に接続されて、支持シート２２を文字盤１０に接続するために用いられる。包囲体２３は、支持シート２２及び接続部材２１の外部を包んで、人体の手首に接触するために用いられる。
【００９５】
接続部材２１は、端面２１１と、底面２１２と、頂面２１３と、対向して設置され且つ端面２１１、底面２１２及び頂面２１３の間に接続された第一側面２１４及び第二側面２１５と、を備える。頂面２１３は円弧形である。底面２１２は、頂面２１３に対応する円弧形面及び端面２１１に対応する平面を備える。接続部材２１の内部には収容空間が設けられている。端面２１１には、第一開口２１１２が設けられている。端面２１１は文字盤１０と組み合わせ、文字盤１０の一部は第一開口２１１２から接続部材２１の内部に伸び込む。本実施形態において、第一開口２１１２は、文字盤１０のブラケット１４２のベース１４２２が接続部材２１の内部に伸び込むようにするために用いられる。頂面２１３には第二開口２１３２及び第三開口２１３３が設けられている。第二開口２１３２は、端面２１１に近く且つ第一開口２１１２に連通される。ベース１４２２が接続部材２１の内部に伸び込まれてから、ベース１４２２のＦＰＣ１１のボタンは第二開口２１３２に収容される。第三開口２１３３は、底面２１２と対向している。
【００９６】
支持シート２２は弾性的な金属シートで製造され、包囲体２３の内部に挿入される。支持シート２２は、上端部２２１と、下端部２２２と、上端部２２１と下端部２２２との間に接続された湾曲部２２３と、を備える。上端部２２１は、接続部材２１に固定的に接続されるために用いられる。下端部２２２は、バッテリモジュール３０を固定するために用いられる。好ましい実施形態において、上端部２２１が所在する平面と下端部２２２が所在する平面は、ほぼ平行する（即ち上端部２２１と下端部２２２は平行するか、又はほぼ平行する）。支持シート２２にはＦＰＣ２５が取り付けられており、ＦＰＣ２５は支持シート２２の下端部２２２から上端部２２１まで延在される。支持シート２２のＦＰＣ２５は文字盤１０のＦＰＣ１１に固定的に接続されて、信号及び電流を伝導する。
【００９７】
図５１及び図５２に示されたように、支持シート２２の上端部２２１は底面２１２の端面を貫く。上端部２２１は４つのネジによって接続部材２１に固定される。支持シート２２の上端部の片側にはスピーカ２４が固定されており、スピーカ２４は第三開口２１３３に収容される。もちろん、スピーカ２４は他の電子部品、例えば電池管理チップ、フラッシュライトなどであることもできる。接続部材２１の第一側面２１４には貫通孔２１４２が設けられる。貫通孔２１４２は、端面２１１に近接して設置され且つ第一開口２１１２に連通される。ベース１４２２内の操作ロッド１５のヘッドエンド１５１は貫通孔２１４２に伸び込む。
【００９８】
図５３に示されたように、支持シート２２の下端部２２２には、ＦＰＣ２５に接続されたバッテリモジュール３０が設置されている。バッテリモジュール３０は、ボトムフレーム３２及びトップカバー３４を備える。
【００９９】
ボトムフレーム３２は、射出成形などの方法で支持シート２２の下端部２２２に組み合わせている。ボトムフレーム３２は、中空の四角枠構造を有し、４つの側壁を接続して形成される。４つの側壁が囲んで開口部を形成する。支持シート２２は開口部から露出される。
【０１００】
図５３に示されたように、支持シート２２の下端部２２２の表面が突出してバッフル２２２１が形成される。バッフル２２２１の数量は２つである。バッフル２２２１は下端部２２２を切断してから湾曲することによって形成される。バッフル２２２１はボトムフレーム３２に固定的に接続される。一実施形態では、下端部２２２はシート状の構造を有し、バッフル２２２１は下端部２２２の表面に垂直する。支持シート２２のバッフル２２２１は、ボトムフレーム３２の成形過程でボトムフレーム３２の１つの側壁に挿入されて、ボトムフレーム３２と支持シート２２との組み合わせはより安定する。具体的には、射出成形によってボトムフレーム３２を下端部２２２に形成することができる。
【０１０１】
ボトムフレーム３２にはバックルホール（ｂｕｃｋｌｅｈｏｌｅ）が設けられている。トップカバー３４にはバックルフックが設けられており、ボトムフレーム３２のバックルホールに係合するために用いられ、従ってトップカバー３４とボトムフレーム３２を固定する。さらに、ねじはトップカバー３４のねじ穴を貫通してからボトムフレーム３２のねじ穴に固定されて両者を固定する。
【０１０２】
ボトムフレーム３２にはバッテリを収容するためのキャビティが設けられており、トップカバー３４はボトムフレーム３２を覆って、ボトムフレーム３２に収容されたバッテリをカバーする。
【０１０３】
図５３を参照すると、本願において、さらに電源スイッチ４０が設置される。一実施形態では、電源スイッチ４０は、バッテリモジュール３０の片側に設置される。具体的には、電源スイッチ４０は、リストベルト２０内のＦＰＣ２５に設置される。支持シート２２に取り付けられたＦＰＣ２５は、支持シート２２の下端部２２２に対応する箇所でサイドウイング（ｓｉｄｅ  ｗｉｎｇ）２５２を形成する。電源スイッチ４０はサイドウイング２５２に設置され、サイドウイング２５２はボトムフレーム３２の側壁に伸び込み、且つ固定構造によってボトムフレーム３２の側壁の貫通孔３２２に固定される。
【０１０４】
別の実施形態において、ＦＰＣ２５の底部は十字構造を形成し、両側で上方に直立してサイドウイング２５２を形成する。ボトムフレーム３２の側壁には２つの貫通孔３２２が設けられており、サイドウイング２５２が通過するようにする。ＦＰＣ２５は支持シート２２の底面に取り付けられ、ボトムフレーム３２は支持シート２２の頂面に固定される。ボトムフレーム３２の側壁には貫通孔３２２が設けられている。支持シート２２の下端部２２２には、その底面及び頂面を貫通する貫通孔２２２２が設けられている。
【０１０５】
図５４に示されたように、ＦＰＣ２５は支持シート２２の貫通孔２２２２からボトムフレーム３２に伸び込み、サイドウィング２５２はボトムフレーム３２の貫通孔３２２に伸び込む。１つのサイドウィング２５２には電源スイッチ４０が固定されている。バッテリモジュール３０は、支持タブ３６をさらに備える。支持タブ３６は、対向して設置された一対の当接部３６２と、一対の当接部３６２の間に接続された弾性付き接続シート３６４と、を備える。一対の当接部３６２はそれぞれＦＰＣ２５の２つのサイドウイング２５２に当接され、接続シート３６４は一対の当接部３６２の間に接続されて、電源スイッチ４０を支持することができ、電源スイッチ４０が押圧されてから、支持タブ３６に支持されて元の位置に戻ることができる。支持タブ３６はＦＰＣ２５とともにバッテリを囲み、２つのサイドウィング２５２はそれぞれ電池の両側に位置する。
【０１０６】
図５１、図５２、図５３に示されたように、リストベルト２０はラップシート（ｌａｐ  ｓｈｅｅｔ）２６をさらに備え、支持シート２２の下端部２２２はリベットによってラップシート２６に接続される。ラップシート２６は、変形可能なステンレス鋼シート材料から製造される。ラップシート２６と支持シート２２は異なる材料からなり、ラップシート２６の強度は支持シート２２の強度よりも高く、ラップシート２６は主に包囲体２３を成形するために用いられ、人体の手首の形状に合わせるようにする。ラップシート２６は、より優れた柔軟性を有し、任意の位置に曲げることができ、任意の位置で形状を維持することができる。だから、支持シート２２によって手首を囲み、ラップシート２６によってリストベルト２０の脱落を防止する。
【０１０７】
ねじは支持シート２２の上端部２２１及び接続部材２１の底面２１２を貫いて、ブラケット１４２のベース１４２２のねじ穴に螺合されて、文字盤１０、接続部材２１及び支持シート２２を組み立てて固定する。
【０１０８】
包囲体２３は、接続部材２１及び支持シート２２を包むために用いられる。一実施形態において、包囲体２３は軟質材料から製造される。具体的には、支持シート２２は弾性を有するマンガン鋼シートであり、包囲体２３は支持シート２２の上に成型されたシリカゲルである。
【０１０９】
図５０〜図５２に示されたように、包囲体２３は頂部２３６及び底部２３７を備え、頂部２３６は文字盤１０に近く、底部２３７は文字盤１０から離れている。包囲体２３の頂部２３６の一端には、接続部材２１を収容するための収容空間２３５１が設けられている。包囲体２３の頂部２３６の頂面には、ホームボタン２３１が設置される。ホームボタン２３１は、接続部材２１の第二開口２１３２に対向して設置されている。ホームボタン２３１は、ＦＰＣ１１のボタン１１２に対応する。ホームボタン２３１を押圧すると、ＦＰＣ１１のボタン１１２を起動することができ、スクリーンアセンブリ１６の表示内容がホームインタフェースに戻ることにする。
【０１１０】
包囲体２３の頂部２３６の側面には、拡張ボタン２３２が設置されている。拡張ボタン２３２は接続部材２１の貫通孔２１４２に対向して設置され、拡張ボタン２３２は操作ロッド１５のヘッドエンド１５１に対応する。拡張ボタン２３２を押圧すると、文字盤１０は自動的に展開される。
【０１１１】
包囲体２３の底部２３７の側面にはスイッチボタン２３４が設置されており、スイッチボタン２３４は支持シート２２の電源スイッチ４０に対応する。スイッチボタン２３４を押圧すると、文字盤１０はスタートオン又はスタートオフになる。
【０１１２】
包囲体２３には、スピーカ２３４に対応するサウンドホール２３５がさらに設けられている。スピーカ２４からの音はサウンドホール２３５によって発出する。
【０１１３】
包囲体２３の底部２３７の自由端には尾部２３７１が設置され、尾部２３７１はラップシート２６を包むために用いられる。
【０１１４】
最後に、上述した実施形態は、ただ本願の技術的方案を説明するために用いられ、本願の範囲を限定するものではないと指摘すべきである。上述した実施形態を参照して本願を詳細に説明したが、当業者であれば、本願の保護範囲はこれに限定されなく、本願に開示された技術範囲内で当業者が容易に考えることができる変更又は切替は、全て本願の保護範囲に属するものであると理解されるべきである。だから、本願の保護範囲は特許請求の範囲に基づくべきである。
【図１】
2019537256.tif 000003
【図２】
2019537256.tif 000004
【図３】
2019537256.tif 000005
【図４】
2019537256.tif 000006
【図５】
2019537256.tif 000007
【図６】
2019537256.tif 000008
【図７】
2019537256.tif 000009
【図８】
2019537256.tif 000010
【図９】
2019537256.tif 000011
【図１０】
2019537256.tif 000012
【図１１】
2019537256.tif 000013
【図１２】
2019537256.tif 000014
【図１３】
2019537256.tif 000015
【図１４】
2019537256.tif 000016
【図１５】
2019537256.tif 000017
【図１６】
2019537256.tif 000018
【図１７】
2019537256.tif 000019
【図１８】
2019537256.tif 000020
【図１９】
2019537256.tif 000021
【図２０】
2019537256.tif 000022
【図２１】
2019537256.tif 000023
【図２２】
2019537256.tif 000024
【図２３】
2019537256.tif 000025
【図２４】
2019537256.tif 000026
【図２５】
2019537256.tif 000027
【図２６】
2019537256.tif 000028
【図２７】
2019537256.tif 000029
【図２８】
2019537256.tif 000030
【図２９】
2019537256.tif 000031
【図３０】
2019537256.tif 000032
【図３１】
2019537256.tif 000033
【図３２】
2019537256.tif 000034
【図３３】
2019537256.tif 000035
【図３４】
2019537256.tif 000036
【図３５】
2019537256.tif 000037
【図３６】
2019537256.tif 000038
【図３７】
2019537256.tif 000039
【図３８】
2019537256.tif 000040
【図３９】
2019537256.tif 000041
【図４０】
2019537256.tif 000042
【図４１】
2019537256.tif 000043
【図４２】
2019537256.tif 000044
【図４３】
2019537256.tif 000045
【図４４】
2019537256.tif 000046
【図４５】
2019537256.tif 000047
【図４６】
2019537256.tif 000048
【図４７】
2019537256.tif 000049
【図４８】
2019537256.tif 000050
【図４９】
2019537256.tif 000051
【図５０】
2019537256.tif 000052
【図５１】
2019537256.tif 000053
【図５２】
2019537256.tif 000054
【図５３】
2019537256.tif 000055
【図５４】
2019537256.tif 000056
【国際調査報告】
2019537256.tif 000057
2019537256.tif 000058
2019537256.tif 000059
2019537256.tif 000060
2019537256.tif 000061
2019537256.tif 000062